(57)【要約】  電力緩和値を決定するための技法が開示される。電力緩和値は、エンディングリソースブロック（ＲＢ）と連続する割振りにおけるＲＢの数とに従って決定され得る。一態様では、電力緩和値は、送信チャネル帯域幅と保護された隣接するチャネルからの距離とに少なくとも部分的に基づいて領域の中にアレンジされる。ユーザ機器（ＵＥ）は、エンディングＲＢインデックスと連続するＲＢ長さとを使用して、ＵＥの現在割振りのための電力緩和値を決定することができ、それに応じてＵＥの送信電力を調整することができる。発展型ノードＢは、ＵＥにとって利用可能な送信電力をより正確に決定するために、特定のＵＥが選択した電力緩和を推定し得る。送信電力のより正確な推定値を使用して、ｅＮＢは、それに応じてアップリンク送信のためにＵＥをスケジュールし得る。
2015503889.tif 000002
【特許請求の範囲】
【請求項１】
モバイルデバイスにおいて、前記モバイルデバイスに割り振られた複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、前記モバイルデバイスのアップリンク送信のための電力緩和許容量（power relaxation allowance）を特定することと、
を備える、ワイヤレス通信の方法。
【請求項２】
前記電力緩和許容量を特定することが、前記モバイルデバイスにおいて維持されるテーブルから値を取り出すことを備える、請求項１に記載の方法。
【請求項３】
前記モバイルデバイスが複数のテーブルを備え、各テーブルが、割り振られた帯域と「保護された」帯域との間の異なるオフセットに対応する電力緩和値を備える、請求項２に記載の方法。
【請求項４】
サービスを提供する発展型ノードＢ（ｅＮＢ）から指示を受信することをさらに備え、前記指示が、前記割り振られた帯域のための高められた放出限界を特定する、請求項２に記載の方法。
【請求項５】
前記モバイルデバイスが複数のテーブルを備え、各テーブルが、前記割り振られた帯域と「保護された」帯域との間の異なるオフセットに対応する電力緩和値を備える、請求項４に記載の方法。
【請求項６】
各テーブルが、前記割り振られた帯域上での前記モバイルデバイスの可能なアップリンク割当てのセットに対応する、請求項５に記載の方法。
【請求項７】
前記連続するＲＢ割振りの前記長さをしきい値と比較することをさらに備え、
前記特定された電力緩和許容量は、前記長さが前記しきい値より小さいとき、第１の電力緩和許容量を備え、前記特定された電力緩和許容量は、前記長さが前記しきい値を超えるとき、第２の電力緩和許容量を備える、
請求項１に記載の方法。
【請求項８】
前記しきい値が、前記割り振られた帯域上でのアップリンク通信からの保護された帯域に対する異なる干渉源に対応する、請求項７に記載の方法。
【請求項９】
前記しきい値が前記モバイルデバイスによって決定される、請求項８に記載の方法。
【請求項１０】
前記しきい値が、前記割り振られた帯域を備えるリソースブロックの数、前記保護された帯域からのオフセット、および前記割り振られた帯域と前記保護された帯域とを分離するガードバンドの幅に基づく、請求項９に記載の方法。
【請求項１１】
前記特定された電力緩和許容量だけ送信電力を低減すること、または
前記モバイルデバイスによって決定された別の量だけ前記送信電力を低減すること、
の一方をさらに備える、請求項１に記載の方法。
【請求項１２】
前記モバイルデバイスにおいて、前記エンディングＲＢインデックスと前記連続するＲＢ割振りの前記長さとの和に基づく最適化値を決定することと、
前記最適化値をしきい値と比較することと、
前記最適化値が前記しきい値より小さいとき、０によって前記送信電力を調整することと、
前記最適化値が前記しきい値を超えるとき、決定された緩和量によって前記送信電力を調整することと、
をさらに備える、請求項１に記載の方法。
【請求項１３】
前記決定された緩和量が前記最適化値との線形関係を有する、請求項１２に記載の方法。
【請求項１４】
発展型ノードＢ（ｅＮＢ）において、モバイルデバイスから電力ヘッドルーム報告を受信することと、
前記モバイルデバイスに現在割り振られている複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、複数の電力緩和許容量のテーブル中の電力緩和許容量を特定することと、
前記特定された電力緩和許容量と前記電力ヘッドルーム報告とに基づいて、前記モバイルデバイスの利用可能な電力を決定することと、
前記決定された利用可能な電力に少なくとも部分的に基づいてアップリンク送信のために前記モバイルデバイスをスケジュールすることと、
を備える、ワイヤレス通信のための方法。
【請求項１５】
前記スケジュールすることが、
送信帯域における新しい複数のＲＢを割り振ることと、
送信電力に少なくとも部分的に基づいて適切な変調およびコーディング方式（ＭＣＳ）を選択することと、
を備える、請求項１４に記載の方法。
【請求項１６】
モバイルデバイスにおいてサービスを提供する発展型ノードＢ（ｅＮＢ）から指示を受信すること、ここで、前記指示は、割り振られた帯域のための高められた放出限界を特定する、と、
割り振られた複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、複数の電力緩和許容量のテーブル中の電力緩和許容量を特定すること、ここで、電力緩和許容量は、送信チャネル帯域幅と、隣接する帯域からの距離とに基づいて定義された複数の領域に対応し、前記特定された電力緩和許容量は、前記エンディングＲＢインデックスと前記連続するＲＢ割振りの前記長さとに関連付けられた前記複数の領域のうちの１つ中に位置付けられる、と、
前記指示に従って前記モバイルデバイスにおいて送信電力を調整することと、
を備える、ワイヤレス通信のための方法。
【請求項１７】
前記隣接する帯域が保護された通信帯域である、請求項１６に記載の方法。
【請求項１８】
前記保護された通信帯域が、パブリックセーフティ用途のために指定された狭帯域を備える、請求項１７に記載の方法。
【請求項１９】
前記領域が、前記割り振られた帯域上での送信からの異なる干渉源に対応する、請求項１６に記載の方法。
【請求項２０】
モバイルデバイスにおいて、前記モバイルデバイスに割り振られた複数のリソースブロック（ＲＢ）におけるエンディングＲＢインデックスと連続するＲＢ割振りの長さとを決定するための手段と、
前記エンディングＲＢインデックスと前記連続するＲＢ割振りの前記長さとに基づいて、前記モバイルデバイスのアップリンク送信のための電力緩和許容量を特定するための手段と、
を備える、ワイヤレス通信のために構成された装置。
【請求項２１】
前記電力緩和許容量を特定するための手段が、前記モバイルデバイスにおいて維持されるテーブルから値を取り出すための手段を備える、請求項２０に記載の装置。
【請求項２２】
前記モバイルデバイスが複数のテーブルを備え、各テーブルが、割り振られた帯域と「保護された」帯域との間の異なるオフセットに対応する電力緩和値を備える、請求項２１に記載の装置。
【請求項２３】
サービスを提供する発展型ノードＢ（ｅＮＢ）から指示を受信するための手段を備え、前記指示が、前記割り振られた帯域のための高められた放出限界を特定する、請求項２２に記載の装置。
【請求項２４】
前記モバイルデバイスが複数のテーブルを備え、各テーブルが、前記割り振られた帯域と「保護された」帯域との間の異なるオフセットに対応する電力緩和値を備える、請求項２３に記載の装置。
【請求項２５】
各テーブルが、前記割り振られた帯域上での前記モバイルデバイスの可能なアップリンク割当てのセットに対応する、請求項２４に記載の装置。
【請求項２６】
前記連続するＲＢ割振りの前記長さをしきい値と比較するための手段を備え、
前記特定された電力緩和許容量は、前記長さが前記しきい値より小さいとき、第１の電力緩和許容量を備え、前記特定された電力緩和許容量は、前記長さが前記しきい値を超えるとき、第２の電力緩和許容量を備える、
請求項２０に記載の装置。
【請求項２７】
前記しきい値が、前記割り振られた帯域上でのアップリンク通信からの保護された帯域に対する異なる干渉源に対応する、請求項２６に記載の装置。
【請求項２８】
前記しきい値が前記モバイルデバイスによって決定される、請求項２７に記載の装置。
【請求項２９】
前記しきい値が、前記割り振られた帯域を備えるリソースブロックの数、前記保護された帯域からのオフセット、および前記割り振られた帯域と前記保護された帯域とを分離するガードバンドの幅に基づく、請求項２８に記載の装置。
【請求項３０】
前記特定された電力緩和許容量だけ送信電力を低減するための手段、または
前記モバイルデバイスによって決定された別の量だけ前記送信電力を低減するための手段、
の一方をさらに備える、請求項２０に記載の装置。
【請求項３１】
前記モバイルデバイスにおいて、前記エンディングＲＢインデックスと前記連続するＲＢ割振りの前記長さとの和に基づく最適化値を決定するための手段と、
前記最適化値をしきい値と比較するための手段と、
前記最適化値が前記しきい値より小さいとき、０によって前記送信電力を調整するための手段と、
前記最適化値が前記しきい値を超えるとき、決定された緩和量によって前記送信電力を調整するための手段と、
をさらに備える、請求項２０に記載の装置。
【請求項３２】
前記決定された緩和量が前記最適化値との線形関係を有する、請求項３１に記載の装置。
【請求項３３】
発展型ノードＢ（ｅＮＢ）において、モバイルデバイスから電力ヘッドルーム報告を受信するための手段と、
前記モバイルデバイスに現在割り振られている複数のリソースブロック（ＲＢ）におけるエンディングＲＢインデックスと連続するＲＢ割振りの長さとを決定するための手段と、
前記エンディングＲＢインデックスと前記連続するＲＢ割振りの前記長さとに基づいて、複数の電力緩和許容量のテーブル中の電力緩和許容量を特定するための手段と、
前記特定された電力緩和許容量と前記電力ヘッドルーム報告とに基づいて、前記モバイルデバイスの利用可能な電力を決定するための手段と、
前記決定された利用可能な電力に少なくとも部分的に基づいてアップリンク送信のために前記モバイルデバイスをスケジュールするための手段と、
を備える、ワイヤレス通信のために構成された装置。
【請求項３４】
スケジュールするための前記手段が、
送信帯域における新しい複数のＲＢを割り振るための手段と、
送信電力に少なくとも部分的に基づいて適切な変調およびコーディング方式（ＭＣＳ）を選択するための手段と、
を備える、請求項３３に記載の装置。
【請求項３５】
モバイルデバイスにおいて、サービスを提供する発展型ノードＢ（ｅＮＢ）から指示を受信するための手段、ここで、前記指示は、割り振られた帯域のための高められた放出限界を特定する、と、
割り振られた複数のリソースブロック（ＲＢ）におけるエンディングＲＢインデックスと連続するＲＢ割振りの長さとを決定するための手段と、
前記エンディングＲＢインデックスと前記連続するＲＢ割振りの前記長さとに基づいて、電力緩和許容量のテーブル中の電力緩和許容量を特定するための手段、ここで、電力緩和許容量が、送信チャネル帯域幅と、隣接する帯域からの距離とに基づいて定義された複数の領域に対応し、前記特定された電力緩和許容量が、前記エンディングＲＢインデックスと前記連続するＲＢ割振りの前記長さとに関連付けられた前記複数の領域のうちの１つ中に位置付けられる、と、
前記指示に従って前記モバイルデバイスにおいて送信電力を調整するための手段と、
を備える、ワイヤレス通信のために構成された装置。
【請求項３６】
前記隣接する帯域が保護された通信帯域である、請求項３５に記載の装置。
【請求項３７】
前記保護された通信帯域が、パブリックセーフティ用途のために指定された狭帯域を備える、請求項３６に記載の装置。
【請求項３８】
前記領域が、前記割り振られた帯域上での送信からの異なる干渉源に対応する、請求項３５に記載の装置。
【請求項３９】
ワイヤレスネットワークにおけるワイヤレス通信のためのコンピュータプログラム製品であって、
プログラムコードを記録した非一時的コンピュータ可読媒体を備え、前記プログラムコードが、コンピュータに、
モバイルデバイスにおいて、前記モバイルデバイスに割り振られた複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、前記モバイルデバイスのアップリンク送信のための電力緩和許容量を特定することと、
を行わせるためのプログラムコードを備える、
コンピュータプログラム製品。
【請求項４０】
前記電力緩和許容量を特定するための前記プログラムコードが、前記コンピュータに、前記モバイルデバイスにおいて維持されるテーブルから値を取り出すことを行わせるプログラムコードを備える、請求項３９に記載のコンピュータプログラム製品。
【請求項４１】
前記モバイルデバイスが複数のテーブルを備え、各テーブルが、割り振られた帯域と「保護された」帯域との間の異なるオフセットに対応する電力緩和値を備える、請求項４０に記載のコンピュータプログラム製品。
【請求項４２】
前記コンピュータに、サービスを提供する発展型ノードＢ（ｅＮＢ）から指示を受信することを行わせるプログラムコードをさらに備え、前記指示は、前記割り振られた帯域のための高められた放出限界を特定する、請求項４０に記載のコンピュータプログラム製品。
【請求項４３】
前記モバイルデバイスが複数のテーブルを備え、各テーブルが、前記割り振られた帯域と「保護された」帯域との間の異なるオフセットに対応する電力緩和値を備える、請求項４２に記載のコンピュータプログラム製品。
【請求項４４】
各テーブルが、前記割り振られた帯域上での前記モバイルデバイスの可能なアップリンク割当てのセットに対応する、請求項４３に記載のコンピュータプログラム製品。
【請求項４５】
前記コンピュータに、
前記連続するＲＢ割振りの前記長さをしきい値と比較することを行わせるプログラムコードをさらに備え、前記特定された電力緩和許容量は、前記長さが前記しきい値より小さいとき、第１の電力緩和許容量を備え、前記特定された電力緩和許容量は、前記長さが前記しきい値を超えるとき、第２の電力緩和許容量を備える、請求項３９に記載のコンピュータプログラム製品。
【請求項４６】
前記しきい値が、前記割り振られた帯域上でのアップリンク通信からの保護された帯域に対する異なる干渉源に対応する、請求項４５に記載のコンピュータプログラム製品。
【請求項４７】
前記しきい値が、前記モバイルデバイスによって決定される、請求項４６に記載のコンピュータプログラム製品。
【請求項４８】
前記しきい値が、前記割り振られた帯域を備えるリソースブロックの数、前記保護された帯域からのオフセット、および前記割り振られた帯域と前記保護された帯域とを分離するガードバンドの幅に基づく、請求項４７に記載のコンピュータプログラム製品。
【請求項４９】
前記コンピュータに、
前記特定された電力緩和許容量だけ送信電力を低減すること、または
前記モバイルデバイスによって決定された別の量だけ前記送信電力を低減すること、
の一方を行わせるプログラムコードをさらに備える、請求項３９に記載のコンピュータプログラム製品。
【請求項５０】
前記コンピュータに、
前記モバイルデバイスにおいて、前記エンディングＲＢインデックスと前記連続するＲＢ割振りの前記長さとの和に基づく最適化値を決定することと、
前記最適化値をしきい値と比較することと、
前記最適化値が前記しきい値より小さいとき、０によって前記送信電力を調整することと、
前記最適化値が前記しきい値を超えるとき、決定された緩和量によって前記送信電力を調整することと、
を行わせるプログラムコードをさらに備える、請求項３９に記載のコンピュータプログラム製品。
【請求項５１】
前記決定された緩和量が前記最適化値との線形関係を有する、請求項５０に記載のコンピュータプログラム製品。
【請求項５２】
ワイヤレスネットワークにおけるワイヤレス通信のためのコンピュータプログラム製品であって、
プログラムコードを記録した非一時的コンピュータ可読媒体を備え、前記プログラムコードが、コンピュータに、
発展型ノードＢ（ｅＮＢ）において、モバイルデバイスから電力ヘッドルーム報告を受信することと、
前記モバイルデバイスへの割振りのための複数の候補リソースブロック（ＲＢ）における現在割り振られている複数のＲＢにおけるエンディングＲＢインデックスと連続するＲＢ割振りの長さとを決定することと、
前記エンディングＲＢインデックスと前記連続するＲＢ割振りの前記長さとに基づいて、電力緩和許容量のテーブル中の電力緩和許容量を特定することと、
前記特定された電力緩和許容量と前記電力ヘッドルーム報告とに基づいて、前記モバイルデバイスの利用可能な電力を決定することと、
前記決定された利用可能な電力に少なくとも部分的に基づいてアップリンク送信のために前記モバイルデバイスをスケジュールすることと、
を行わせるためのプログラムコードを備える、
コンピュータプログラム製品。
【請求項５３】
スケジュールするための前記プログラムコードが、前記コンピュータに、
送信帯域における新しい複数のＲＢを割り振ることと、
送信電力に少なくとも部分的に基づいて適切な変調およびコーディング方式（ＭＣＳ）を選択することと、
を行わせるプログラムコードを備える、請求項５２に記載のコンピュータプログラム製品。
【請求項５４】
ワイヤレスネットワークにおけるワイヤレス通信のためのコンピュータプログラム製品であって、
プログラムコードを記録した非一時的コンピュータ可読媒体を備え、前記プログラムコードが、コンピュータに、
モバイルデバイスにおいて、サービスを提供する発展型ノードＢ（ｅＮＢ）から指示を受信すること、ここで、前記指示は、割り振られた帯域のための高められた放出限界を特定する、と、
割り振られた複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、電力緩和許容量のテーブル中の電力緩和許容量を特定すること、ここで、電力緩和許容量は、送信チャネル帯域幅と、隣接する帯域からの距離とに基づいて定義された複数の領域に対応し、前記特定された電力緩和許容量は、前記エンディングＲＢインデックスと前記連続するＲＢ割振りの前記長さとに関連付けられた前記複数の領域のうちの１つ中に位置付けられる、と、
前記指示に従って前記モバイルデバイスにおいて送信電力を調整することと、
を行わせるためのプログラムコードを備える、
コンピュータプログラム製品。
【請求項５５】
前記隣接する帯域が保護された通信帯域である、請求項５４に記載のコンピュータプログラム製品。
【請求項５６】
前記保護された通信帯域が、パブリックセーフティ用途のために指定された狭帯域を備える、請求項５５に記載のコンピュータプログラム製品。
【請求項５７】
前記領域が、前記割り振られた帯域上での送信からの異なる干渉源に対応する、請求項５４に記載のコンピュータプログラム製品。
【請求項５８】
ワイヤレス通信のために構成された装置であって、前記装置は、
少なくとも１つのプロセッサと、
前記少なくとも１つのプロセッサに結合されたメモリと
を備え、
前記少なくとも１つのプロセッサが、
モバイルデバイスにおいて、前記モバイルデバイスに割り振られた複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、前記モバイルデバイスのアップリンク送信のための電力緩和許容量を特定することと、
を行うように構成された、
装置。
【請求項５９】
前記電力緩和許容量を特定するための前記少なくとも１つのプロセッサの前記構成が、前記モバイルデバイスにおいて維持されるテーブルから値を取り出すための構成を備える、請求項５８に記載の装置。
【請求項６０】
前記モバイルデバイスが複数のテーブルを備え、各テーブルが、割り振られた帯域と「保護された」帯域との間の異なるオフセットに対応する電力緩和値を備える、請求項５９に記載の装置。
【請求項６１】
前記少なくとも１つのプロセッサは、サービスを提供する発展型ノードＢ（ｅＮＢ）から指示を受信することを行うようにさらに構成され、前記指示は、前記割り振られた帯域のための高められた放出限界を特定する、請求項５９に記載の装置。
【請求項６２】
前記モバイルデバイスが複数のテーブルを備え、各テーブルが、前記割り振られた帯域と「保護された」帯域との間の異なるオフセットに対応する電力緩和値を備える、請求項６１に記載の装置。
【請求項６３】
各テーブルが、前記割り振られた帯域上での前記モバイルデバイスの可能なアップリンク割当てのセットに対応する、請求項６２に記載の装置。
【請求項６４】
前記少なくとも１つのプロセッサは、
前記連続するＲＢ割振りの前記長さをしきい値と比較することを行うようにさらに構成され、
前記特定された電力緩和許容量は、前記長さが前記しきい値より小さいとき、第１の電力緩和許容量を備え、前記特定された電力緩和許容量は、前記長さが前記しきい値を超えるとき、第２の電力緩和許容量を備える、
請求項５８に記載の装置。
【請求項６５】
前記しきい値が、前記割り振られた帯域上でのアップリンク通信からの保護された帯域に対する異なる干渉源に対応する、請求項６４に記載の装置。
【請求項６６】
前記しきい値が、前記モバイルデバイスによって決定される、請求項６５に記載の装置。
【請求項６７】
前記しきい値が、前記割り振られた帯域を備えるリソースブロックの数、前記保護された帯域からのオフセット、および前記割り振られた帯域と前記保護された帯域とを分離するガードバンドの幅に基づく、請求項６６に記載の装置。
【請求項６８】
前記少なくとも１つのプロセッサが、
前記特定された電力緩和許容量だけ送信電力を低減すること、または
前記モバイルデバイスによって決定された別の量だけ前記送信電力を低減すること、
の一方を行うようにさらに構成された、請求項６７に記載の装置。
【請求項６９】
前記少なくとも１つのプロセッサは、
前記モバイルデバイスにおいて、前記エンディングＲＢインデックスと前記連続するＲＢ割振りの前記長さとの和に基づく最適化値を決定することと、
前記最適化値をしきい値と比較することと、
前記最適化値が前記しきい値より小さいとき、０によって前記送信電力を調整することと、
前記最適化値が前記しきい値を超えるとき、決定された緩和量によって前記送信電力を調整することと、
を行うようにさらに構成された、請求項５８に記載の装置。
【請求項７０】
前記決定された緩和量が前記最適化値との線形関係を有する、請求項６９に記載の装置。
【請求項７１】
ワイヤレス通信のために構成された装置であって、前記装置は、
少なくとも１つのプロセッサと、
前記少なくとも１つのプロセッサに結合されたメモリと
を備え、
前記少なくとも１つのプロセッサが、
発展型ノードＢ（ｅＮＢ）において、モバイルデバイスから電力ヘッドルーム報告を受信することと、
前記モバイルデバイスに現在割り振られている複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、電力緩和許容量のテーブル中の電力緩和許容量を特定することと、
前記特定された電力緩和許容量と前記電力ヘッドルーム報告とに基づいて、前記モバイルデバイスの利用可能な電力を決定することと、
前記決定された利用可能な電力に少なくとも部分的に基づいてアップリンク送信のために前記モバイルデバイスをスケジュールすることと、
を行うように構成された、
装置。
【請求項７２】
スケジュールするための前記少なくとも１つのプロセッサの前記構成が、
送信帯域における新しい複数のＲＢを割り振ることと、
送信電力に少なくとも部分的に基づいて適切な変調およびコーディング方式（ＭＣＳ）を選択することと、
を行うための構成を備える、請求項７１に記載の装置。
【請求項７３】
ワイヤレス通信のために構成された装置であって、前記装置は、
少なくとも１つのプロセッサと、
前記少なくとも１つのプロセッサに結合されたメモリと
を備え、
前記少なくとも１つのプロセッサが、
モバイルデバイスにおいてサービスを提供する発展型ノードＢ（ｅＮＢ）から指示を受信すること、ここで、前記指示は、割り振られた帯域のための高められた放出限界を特定する、と、
割り振られた複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、電力緩和許容量のテーブル中の電力緩和許容量を特定すること、ここで、電力緩和許容量が、送信チャネル帯域幅と、隣接する帯域からの距離とに基づいて定義された複数の領域に対応し、前記特定された電力緩和許容量が、前記エンディングＲＢインデックスと前記連続するＲＢ割振りの前記長さとに関連付けられた前記複数の領域のうちの１つ中に位置付けられる、と、
前記指示に従って前記モバイルデバイスにおいて送信電力を調整することと、
を行うように構成された、
装置。
【請求項７４】
前記隣接する帯域が保護された通信帯域である、請求項７３に記載の装置。
【請求項７５】
前記保護された通信帯域が、パブリックセーフティ用途のために指定された狭帯域を備える、請求項７４に記載の装置。
【請求項７６】
前記領域が、前記割り振られた帯域上での送信からの異なる干渉源に対応する、請求項７３に記載の装置。
【発明の詳細な説明】
【関連出願】
【０００１】
[0001]本出願は、その全体が参照により本明細書に明確に組み込まれる、２０１２年１月１７日に出願された「MAXIMUM POWER REDUCTION FOR INTERFERENCE CONTROL IN ADJACENT CHANNELS」と題する米国仮特許出願第６１／５８７，５７５号の利益を主張する。
【技術分野】
【０００２】
[0002]本開示の態様は、一般にワイヤレス通信システムに関し、より詳細には、隣接するチャネルにおける干渉制御のための最大電力低減に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのようなネットワークは、通常、多元接続ネットワークであり、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ：3rd Generation Partnership Project）によってサポートされる第３世代（３Ｇ）モバイルフォン技術である、ユニバーサルモバイル電気通信システム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、および／またはＵＥからアップリンク上でデータおよび制御情報を受信し得る。ダウンリンク上では、基地局からの送信は、近隣（neighbor）基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００７】
[0007]本開示の一態様では、ワイヤレス通信の方法が、モバイルデバイスにおいて、モバイルデバイスに割り振られた複数のリソースブロック（ＲＢ）におけるエンディングＲＢインデックスと連続するＲＢ割振りの長さとを決定することと、エンディングＲＢインデックスと連続するＲＢ割振りの長さとに基づいて、モバイルデバイスのアップリンク送信のための電力緩和許容量（power relaxation allowance）を特定することとを含む。
【０００８】
[0008]本開示の別の態様では、ワイヤレス通信のための方法が、ｅＮＢにおいて、モバイルデバイスから電力ヘッドルーム報告を受信することと、モバイルデバイスに現在割り振られている複数のＲＢにおけるエンディングＲＢインデックスと連続するＲＢ割振りの長さとを決定することと、エンディングＲＢインデックスと連続するＲＢ割振りの長さとに基づいて、電力緩和許容量のテーブル中の電力緩和許容量を特定することと、特定された電力緩和許容量と電力ヘッドルーム報告とに基づいて、モバイルデバイスの利用可能な電力を決定することと、決定された利用可能な電力に少なくとも部分的に基づいてアップリンク送信のためにモバイルデバイスをスケジュールすることと、を含む。
【０００９】
[0009]本開示のさらなる態様では、ワイヤレス通信のための方法が、モバイルデバイスにおいてサービスを提供するｅＮＢから指示を受信すること、ここで、上記指示は、割り振られた帯域のための高められた放出限界を特定する、と、割り振られた複数のＲＢにおけるエンディングＲＢインデックスと連続するＲＢ割振りの長さとを決定することと、エンディングＲＢインデックスと連続するＲＢ割振りの長さとに基づいて、電力緩和許容量のテーブル中の電力緩和許容量を特定すること、ここで、電力緩和許容量は、送信チャネル帯域幅と隣接する帯域からの距離とに基づいて定義された複数の領域に対応し、特定された電力緩和許容量は、エンディングＲＢインデックスと連続するＲＢ割振りの長さとに関連付けられた複数の領域のうちの１つ中に位置付けられる、と、上記指示に従ってモバイルデバイスにおいて送信電力を調整することと、を含む。
【００１０】
[0010]本開示の追加の態様では、ワイヤレス通信のために構成された装置が、モバイルデバイスにおいて、モバイルデバイスに割り振られた複数のリソースブロック（ＲＢ）におけるエンディングＲＢインデックスと連続するＲＢ割振りの長さとを決定するための手段と、エンディングＲＢインデックスと連続するＲＢ割振りの長さとに基づいて、モバイルデバイスのアップリンク送信のための電力緩和許容量を特定するための手段とを含む。
【００１１】
[0011]本開示の追加の態様では、ワイヤレス通信のために構成された装置が、ｅＮＢにおいて、モバイルデバイスから電力ヘッドルーム報告を受信するための手段と、モバイルデバイスに現在割り振られている複数のＲＢにおけるエンディングＲＢインデックスと連続するＲＢ割振りの長さとを決定するための手段と、エンディングＲＢインデックスと連続するＲＢ割振りの長さとに基づいて、電力緩和許容量のテーブル中の電力緩和許容量を特定するための手段と、特定された電力緩和許容量と電力ヘッドルーム報告とに基づいて、モバイルデバイスの利用可能な電力を決定するための手段と、決定された利用可能な電力に少なくとも部分的に基づいてアップリンク送信のためにモバイルデバイスをスケジュールするための手段と、を含む。
【００１２】
[0012]本開示の追加の態様では、ワイヤレス通信のために構成された装置が、モバイルデバイスにおいてサービスを提供するｅＮＢから指示を受信するための手段、ここで、上記指示は、割り振られた帯域のための高められた放出限界を特定する、と、割り振られた複数のＲＢにおけるエンディングＲＢインデックスと連続するＲＢ割振りの長さとを決定するための手段と、エンディングＲＢインデックスと連続するＲＢ割振りの長さとに基づいて、電力緩和許容量のテーブル中の電力緩和許容量を特定するための手段、ここで、電力緩和許容量は、送信チャネル帯域幅と隣接する帯域からの距離とに基づいて定義された複数の領域に対応し、特定された電力緩和許容量は、エンディングＲＢインデックスと連続するＲＢ割振りの長さとに関連付けられた複数の領域のうちの１つ中に位置付けられる、と、上記指示に従ってモバイルデバイスにおいて送信電力を調整するための手段とを含む。
【００１３】
[0013]本開示の追加の態様では、ワイヤレスネットワークにおけるワイヤレス通信のためのコンピュータプログラム製品が、プログラムコードを記録した非一時的コンピュータ可読媒体を含む。そのプログラムコードは、コンピュータに、図７〜図９において説明する方法を実行することを行わせるためのプログラムコードを含む。
【００１４】
[0014]本開示の追加の態様では、装置がワイヤレス通信のために構成される。本装置は、少なくとも１つのプロセッサと、プロセッサに結合されたメモリとを含む。プロセッサは、モバイルデバイスにおいて、モバイルデバイスに割り振られた複数のＲＢにおけるエンディングＲＢインデックスと連続するＲＢ割振りの長さとを決定することと、エンディングＲＢインデックスと連続するＲＢ割振りの長さとに基づいて、モバイルデバイスのアップリンク送信のための電力緩和許容量を特定することとを行うように構成される。
【００１５】
[0015]本開示の追加の態様では、装置がワイヤレス通信のために構成される。本装置は、少なくとも１つのプロセッサと、プロセッサに結合されたメモリとを含む。プロセッサは、ｅＮＢにおいて、モバイルデバイスから電力ヘッドルーム報告を受信することと、モバイルデバイスに現在割り振られている複数のＲＢにおけるエンディングＲＢインデックスと連続するＲＢ割振りの長さとを決定することと、エンディングＲＢインデックスと連続するＲＢ割振りの長さとに基づいて、複数の電力緩和許容量のテーブル中の電力緩和許容量を特定することと、特定された電力緩和許容量と電力ヘッドルーム報告とに基づいて、モバイルデバイスの利用可能な電力を決定することと、決定された利用可能な電力に少なくとも部分的に基づいてアップリンク送信のためにモバイルデバイスをスケジュールすることと、を行うように構成される。
【００１６】
[0016]本開示の追加の態様では、装置がワイヤレス通信のために構成される。本装置は、少なくとも１つのプロセッサと、プロセッサに結合されたメモリとを含む。プロセッサは、モバイルデバイスにおいて、サービスを提供するｅＮＢから指示を受信すること、ここで、上記指示は、割り振られた帯域のための高められた放出限界を特定する、と、割り振られた複数のＲＢにおけるエンディングＲＢインデックスと連続するＲＢ割振りの長さとを決定することと、エンディングＲＢインデックスと連続するＲＢ割振りの長さとに基づいて、電力緩和許容量のテーブル中の電力緩和許容量を特定すること、ここで、電力緩和許容量は、送信チャネル帯域幅と隣接する帯域からの距離とに基づいて定義された複数の領域に対応し、特定された電力緩和許容量は、エンディングＲＢインデックスと連続するＲＢ割振りの長さとに関連付けられた複数の領域のうちの１つ中に位置付けられる、と、上記指示に従ってモバイルデバイスにおいて送信電力を調整することと、を行うように構成される。
【図面の簡単な説明】
【００１７】
【図１】[0017]モバイル通信システムの一例を示すブロック図。
【図２】[0018]本開示の一態様に従って構成された基地局／ｅＮＢおよびＵＥの設計を示すブロック図。
【図３Ａ】[0019]本開示の一態様に従って構成されたＡ−ＭＰＲテーブルを示す図。
【図３Ｂ】本開示の一態様に従って構成されたＡ−ＭＰＲテーブルを示す図。
【図４Ａ】[0020]本開示の一態様に従って構成されたＡ−ＭＰＲテーブル中の領域のエンドポイントパラメータ（endpoint parameter）を特定するように選択されたデータ送信のグラフを示す図。
【図４Ｂ】本開示の一態様に従って構成されたＡ−ＭＰＲテーブル中の領域のエンドポイントパラメータを特定するように選択されたデータ送信のグラフを示す図。
【図４Ｃ】本開示の一態様に従って構成されたＡ−ＭＰＲテーブル中の領域のエンドポイントパラメータを特定するように選択されたデータ送信のグラフを示す図。
【図４Ｄ】本開示の一態様に従って構成されたＡ−ＭＰＲテーブル中の領域のエンドポイントパラメータを特定するように選択されたデータ送信のグラフを示す図。
【図４Ｅ】本開示の一態様に従って構成されたＡ−ＭＰＲテーブル中の領域のエンドポイントパラメータを特定するように選択されたデータ送信のグラフを示す図。
【図５】[0021]本開示の一態様に従って構成されたＡ−ＭＰＲテーブルを示す図。
【図６Ａ】[0022]本開示の一態様に従って構成されたＡ−ＭＰＲテーブルを示す図。
【図６Ｂ】本開示の一態様に従って構成されたＡ−ＭＰＲテーブルを示す図。
【図７】[0023]本開示の一態様を実装するために実行される例示的なブロックを示す機能ブロック図。
【図８】[0024]本開示の一態様を実装するために実行される例示的なブロックを示す機能ブロック図。
【図９】[0025]本開示の一態様を実装するために実行される例示的なブロックを示す機能ブロック図。
【詳細な説明】
【００１８】
[0026]添付の図面に関して以下に示す発明を実施するための形態は、様々な構成を説明するものであり、本開示の範囲を限定するものではない。そうではなく、発明を実施するための形態は、本発明の主題の完全な理解を与えるための具体的な詳細を含む。これらの具体的な詳細は、あらゆる場合において必要とされるとは限らないことと、いくつかの事例では、よく知られている構造および構成要素は提示を明快にするためにブロック図の形式で示されることとが当業者には明らかであろう。
【００１９】
[0027]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、米国電気通信工業会（ＴＩＡ：Telecommunications Industry Association）のＣＤＭＡ２０００（登録商標）などの無線技術を実装し得る。ＵＴＲＡ技術は、広帯域ＣＤＭＡ（ＷＣＤＭＡ（登録商標））およびＣＤＭＡの他の変形態を含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡ技術およびＥ−ＵＴＲＡ技術はユニバーサルモバイル電気通信システム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に記載されている。ＣＤＭＡ２０００（登録商標）およびＵＭＢは、「第３世代パートナーシッププロジェクト２」（３ＧＰＰ２：3rd Generation Partnership Project 2）と呼ばれる団体からの文書に記載されている。本明細書で説明する技法は、上記のワイヤレスネットワークおよび無線アクセス技術、ならびに他のワイヤレスネットワークおよび無線アクセス技術のために使用され得る。明快のために、本技法のいくつかの態様について以下では、ＬＴＥまたはＬＴＥ−Ａ（代替として一緒に「ＬＴＥ／−Ａ」と呼ばれる）に関して説明し、以下の説明の大部分ではそのようなＬＴＥ／−Ａ用語を使用する。
【００２０】
[0028]図１に、通信のためのワイヤレスネットワーク１００を示し、これはＬＴＥ−Ａネットワークであり得る。ワイヤレスネットワーク１００は、いくつかの発展型ノードＢ（ｅＮＢ）１１０と他のネットワークエンティティとを含む。ｅＮＢは、ＵＥと通信する固定局であり得、基地局、ノードＢ、アクセスポイントなどと呼ばれることもある。各ｅＮＢ１１０は、特定の地理的エリアに通信カバレージを与え得る。３ＧＰＰでは、「セル」という用語は、この用語が使用される状況に応じて、ｅＮＢのこの特定の地理的カバレージエリアおよび／またはこのカバレージエリアをサービスするｅＮＢサブシステムを指すことがある。
【００２１】
[0029]ｅＮＢは、マクロセル、ピコセル、フェムトセル、および／または他のタイプのセルに通信カバレージを与え得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による限定アクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。図１に示す例では、ｅＮＢ１１０ａ、１１０ｂおよび１１０ｃは、それぞれマクロセル１０２ａ、１０２ｂおよび１０２ｃのためのマクロｅＮＢである。ｅＮＢ１１０ｘは、ピコセル１０２ｘのためのピコｅＮＢである。また、ｅＮＢ１１０ｙおよび１１０ｚは、それぞれフェムトセル１０２ｙおよび１０２ｚのためのフェムトｅＮＢである。ｅＮＢは、１つまたは複数の（たとえば、２つ、３つ、４つなどの）セルをサポートし得る。
【００２２】
[0030]ワイヤレスネットワーク１００はまた中継局を含む。中継局は、上流局（たとえば、ｅＮＢ、ＵＥなど）からデータおよび／または他の情報の送信を受信し、そのデータおよび／または他の情報の送信を下流局（たとえば、別のＵＥ、別のｅＮＢなど）に送る局である。中継局はまた、他のＵＥに対する送信を中継するＵＥであり得る。図１に示す例では、中継局１１０ｒはｅＮＢ１１０ａおよびＵＥ１２０ｒと通信し得、ここで、中継局１１０ｒは、それらの２つのネットワーク要素（ｅＮＢ１１０ａおよびＵＥ１２０ｒ）間の通信を可能にするために、それらの間のリレーとして働く。中継局は、リレーｅＮＢ、リレーなどと呼ばれることもある。
【００２３】
[0031]ワイヤレスネットワーク１００は、同期動作または非同期動作をサポートし得る。同期動作の場合、ｅＮＢは同様のフレームタイミングを有し得、異なるｅＮＢからの送信は時間的にほぼ整合され得る。非同期動作の場合、ｅＮＢは異なるフレームタイミングを有し得、異なるｅＮＢからの送信は時間的に整合されないことがある。本明細書で説明する技法は、同期動作または非同期動作のいずれかのために使用され得る。
【００２４】
[0032]ＵＥ１２０はワイヤレスネットワーク１００全体にわたって分散され、各ＵＥは固定またはモバイルであり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービスを提供するｅＮＢとの間の所望の送信を示す。両矢印付きの破線は、ＵＥとｅＮＢとの間の干渉する送信を示す。
【００２５】
[0033]ＬＴＥ／−Ａは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．２５、２．５、５、１０、または２０メガヘルツ（ＭＨｚ）の対応するシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚをカバーし得、１．２５、２．５、５、１０、または２０ＭＨｚの対応するシステム帯域幅に対してそれぞれ１つ、２つ、４つ、８つ、または１６個のサブバンドがあり得る。
【００２６】
[0034]ワイヤレスネットワーク１００は、単位面積当たりのシステムのスペクトル効率を改善するために、ｅＮＢ１１０の多様なセット（すなわち、マクロｅＮＢ、ピコｅＮＢ、フェムトｅＮＢ、およびリレー）を使用する。ワイヤレスネットワーク１００は、それのスペクトルカバレージのためにそのような異なるｅＮＢを使用するので、それは異種ネットワークと呼ばれることもある。マクロｅＮＢ１１０ａ〜ｃは、通常、ワイヤレスネットワーク１００のプロバイダによって慎重に計画され、配置される。マクロｅＮＢ１１０ａ〜ｃは、概して、高電力レベル（たとえば、５Ｗ〜４０Ｗ）で送信する。ピコｅＮＢ１１０ｘおよび中継局１１０ｒは、概して、かなり低い電力レベル（たとえば、１００ｍＷ〜２Ｗ）で送信し、マクロｅＮＢ１１０ａ〜ｃによって与えられたカバレージエリア中のカバレージホールを除去し、ホットスポットにおける容量を改善するために比較的無計画に展開され得る。とはいえ、一般にワイヤレスネットワーク１００とは無関係に展開されるフェムトｅＮＢ１１０ｙ〜ｚは、それらの（１人または複数の）管理者によって許可された場合、ワイヤレスネットワーク１００への潜在的なアクセスポイントとして、または少なくとも、リソース協調および干渉管理の協調を実行するためにワイヤレスネットワーク１００の他のｅＮＢ１１０と通信し得る、アクティブでアウェアなｅＮＢとして、ワイヤレスネットワーク１００のカバレージエリアに組み込まれ得る。フェムトｅＮＢ１１０ｙ〜ｚはまた、一般に、マクロｅＮＢ１１０ａ〜ｃよりもかなり低い電力レベル（たとえば、１００ｍＷ〜２Ｗ）で送信する。
【００２７】
[0035]ワイヤレスネットワーク１００など、異種ネットワークの動作中、各ＵＥは、通常、信号品質に基づいてｅＮＢ１１０によってサービスされるが、他のｅＮＢ１１０から受信した不要な信号は干渉として扱われる。そのような動作原理は、著しく準最適な性能をもたらすことがあるが、ｅＮＢ１１０の間のインテリジェントリソース協調と、より良いサーバ選択ストラテジと、効率的な干渉管理のためのより高度の技法とを使用することによって、ワイヤレスネットワーク１００においてネットワーク性能の利得が実現される。
【００２８】
[0036]図２に、図１中の基地局／ｅＮＢのうちの１つであり得る基地局／ｅＮＢ１１０および図１中のＵＥのうちの１つであり得るＵＥ１２０の設計のブロック図を示す。制限付き関連付けシナリオの場合、ｅＮＢ１１０は図１中のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０はアンテナ２３４ａ〜２３４ｔを装備し得、ＵＥ１２０はアンテナ２５２ａ〜２５２ｒを装備し得る。
【００２９】
[0037]ｅＮＢ１１０において、送信プロセッサ２２０は、データソース２１２からデータを受信し、コントローラ／プロセッサ２４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ２２０は、データと制御情報とを処理（たとえば、符号化およびシンボルマッピング）して、それぞれデータシンボルと制御シンボルとを取得し得る。送信プロセッサ２２０はまた、たとえば、ＰＳＳ、ＳＳＳ、およびセル固有基準信号のための基準シンボルを生成し得る。送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を実行し得、出力シンボルストリームを変調器（ＭＯＤ）２３２ａ〜２３２ｔに与え得る。各変調器２３２は、（たとえば、ＯＦＤＭなどのために）それぞれの出力シンボルストリームを処理して、出力サンプルストリームを取得し得る。各変調器２３２はさらに、出力サンプルストリームを処理（たとえば、アナログへの変換、増幅、フィルタ処理、およびアップコンバート）して、ダウンリンク信号を取得し得る。変調器２３２ａ〜２３２ｔからのダウンリンク信号は、それぞれアンテナ２３４ａ〜２３４ｔを介して送信され得る。
【００３０】
[0038]ＵＥ１２０において、アンテナ２５２ａ〜２５２ｒは、ｅＮＢ１１０からダウンリンク信号を受信し得、受信信号をそれぞれ復調器（ＤＥＭＯＤ）２５４ａ〜２５４ｒに与え得る。各復調器２５４は、それぞれの受信信号を調整（たとえば、フィルタ処理、増幅、ダウンコンバート、およびデジタル化）して、入力サンプルを取得し得る。各復調器２５４は、（たとえば、ＯＦＤＭなどのために）入力サンプルをさらに処理して、受信シンボルを取得し得る。ＭＩＭＯ検出器２５６は、すべての復調器２５４ａ〜２５４ｒから受信シンボルを取得し、適用可能な場合は受信シンボルに対してＭＩＭＯ検出を実行し、検出シンボルを与え得る。受信プロセッサ２５８は、検出シンボルを処理（たとえば、復調、デインターリーブ、および復号）し、ＵＥ１２０の復号されたデータをデータシンク２６０に与え、復号された制御情報をコントローラ／プロセッサ２８０に与え得る。
【００３１】
[0039]アップリンク上では、ＵＥ１２０において、送信プロセッサ２６４は、データソース２６２から（たとえば、ＰＵＳＣＨのための）データを受信し、処理し得、コントローラ／プロセッサ２８０から（たとえば、ＰＵＣＣＨのための）制御情報を受信し、処理し得る。送信プロセッサ２６４はまた、基準信号のための基準シンボルを生成し得る。送信プロセッサ２６４からのシンボルは、適用可能な場合はＴＸ  ＭＩＭＯプロセッサ２６６によってプリコードされ、さらに（たとえば、ＳＣ−ＦＤＭなどのために）変調器２５４ａ〜２５４ｒによって処理され、ｅＮＢ１１０に送信され得る。ｅＮＢ１１０において、ＵＥ１２０からのアップリンク信号は、アンテナ２３４によって受信され、復調器２３２によって処理され、適用可能な場合はＭＩＭＯ検出器２３６によって検出され、さらに受信プロセッサ２３８によって処理されて、ＵＥ１２０によって送られた復号されたデータおよび制御情報が取得され得る。プロセッサ２３８は、復号されたデータをデータシンク２３９に与え、復号された制御情報をコントローラ／プロセッサ２４０に与え得る。
【００３２】
[0040]コントローラ／プロセッサ２４０および２８０は、それぞれｅＮＢ１１０における動作およびＵＥ１２０における動作を指示し得る。ｅＮＢ１１０におけるコントローラ／プロセッサ２４０および／または他のプロセッサおよびモジュールは、本明細書で説明する技法のための様々なプロセスを実行するか、またはその実行を指示し得る。ＵＥ１２０におけるコントローラ／プロセッサ２８０および／または他のプロセッサとモジュールは、図７〜図９に示す機能ブロック、および／または本明細書で説明する技法のための他のプロセスを実行するか、またはその実行を指示し得る。メモリ２４２および２８２は、それぞれｅＮＢ１１０およびＵＥ１２０のためのデータおよびプログラムコードを記憶し得る。スケジューラ２４４は、ダウンリンクおよび／またはアップリンク上でのデータ送信のためにＵＥをスケジュールし得る。
【００３３】
[0041]隣接するチャネルの近くで送信するとき、ＵＥは、信号変調および増幅中に生じる非線形性またはイメージ信号により、隣接するチャネルへの干渉を引き起こし得る。ＬＴＥ送信は、そのような隣接する帯域の干渉に対して十分な保護を与えながら、依然として妥当なネットワークカバレージを維持するべきである。隣接する帯域の干渉を制限することは、パブリックセーフティシステムに近接している通信帯域にとって特に重要である。パブリックセーフティ帯域は、たとえば、広帯域干渉と狭帯域干渉の両方を受けやすいことがある８５１〜８５９ＭＨｚ間にある狭帯域システムである。ＬＴＥバンド２６は、位置を特定されるパブリックセーフティ帯域に隣接しており、したがって、バンド２６上での放出は、パブリックセーフティ通信との不要な干渉を回避するように制御されなければならない。
【００３４】
[0042]隣接する帯域の干渉からの保護を与えるために、ＬＴＥ送信は、電力低減なしにＵＬ制御チャネル保護（狭帯域送信）を与えるためにＰＵＣＣＨオーバープロビジョニングを使用し得る。代替として、干渉を低減しながらデータカバレージを維持するためにＰＵＳＣＨのための追加最大電力低減（Ａ−ＭＰＲ：additional maximum power reduction）が使用され得る。
【００３５】
[0043]最適Ａ−ＭＰＲはＥ−ＵＴＲＡ絶対無線周波数チャネル番号（ＥＡＲＦＣＮ：E-UTRA absolute radio frequency channel number）に依存する。ただし、すべての可能なＥＡＲＦＣＮについて異なるＡ−ＭＰＲを有しないことによってテスト複雑さを管理可能に保つことが望ましい。本開示の様々な態様は、上側エッジにおける２つの固定チャネルオフセット、すなわち、≧２ＭＨｚおよび≧６ＭＨｚにおいて所与の帯域外放出（ＯＯＢＥ：out-of-band emission）のためのＡ−ＭＰＲを定義するために１つのネットワーク信号（ＮＳ：network signal）値を有することを提案する。それが有用である場合、異なるＯＯＢＥレベルのために追加のＮＳ値が定義され得る。
【００３６】
[0044]本開示の様々な態様は、エンディング（ending：末端）リソースブロック（ＲＢ）インデックス（ＲＢ＿ｅｎｄ）と連続するＲＢ割振りの長さとを使用して符号化されたテーブルにおいて与えられるべき最適Ａ−ＭＰＲを提供する。送信チャネルの特定のチャネル帯域幅および特定のチャネルオフセットとともに使用するために別個のテーブルが生成され得る。図３Ａは、本開示の一態様に従って構成されたＡ−ＭＰＲテーブル３０を示す図である。図示のように、テーブル３０のｘ軸は、割り振られたＲＢのエンディングＲＢインデックスを表す。ｙ軸は、連続するＲＢ割振りの長さを表す。テーブル３０中の影つきブロックは、エンディングＲＢインデックスと連続するＲＢ割振り長さとによって特定される関連する最大Ａ−ＭＰＲ値を表す。テーブル３０は、１０ＭＨｚの帯域幅、および２ＭＨｚのオフセット、および−５０ｄＢｍ／６．２５ＫＨｚのＯＯＢＥの場合に決定された、最適Ａ−ＭＰＲ値を表す。
【００３７】
[0045]テーブル３０から観測され得るように、異なるＡ−ＭＰＲ値を表す影つきエリアが、エンディングＲＢインデックスと連続するＲＢ割振り長さとの値の範囲に従ってグループ化され得る。Ａ−ＭＰＲ値のこれらの関連付けは複数の領域にグループ化され得、それらの領域では、所与のＡ−ＭＰＲが、特定された領域の一部または全部にわたって割り当てられ得る。図３Ｂは、本開示の追加の態様に従って構成されたＡ−ＭＰＲテーブル３１を示す図である。テーブル３０（図３Ａ）によって示されるように、同じく、１０ＭＨｚの帯域幅、２ＭＨｚのオフセット、および−５０ｄＢｍ／６．２５ＫＨｚのＯＯＢＥの場合に決定された、最適Ａ−ＭＰＲ値を表すテーブル３１は、エンディングＲＢインデックスに基づいて４つの別個の領域に分割されている。第１の領域、領域Ａは、０から１３までのエンディングＲＢインデックスをカバーする。第２の領域、領域Ｂは、１３から３３までのエンディングＲＢインデックスをカバーする。第３の領域、領域Ｃは、３３から３７までのエンディングＲＢインデックスをカバーし、第４の領域、領域Ｄは、３７から５０までのエンディングＲＢインデックスをカバーする。
【００３８】
[0046]テーブル３１に従って、領域ＡおよびＢ内に入る割振りをもつＵＥは、０の対応するＡ−ＭＰＲを有するであろう。領域ＣおよびＤは、それぞれ、連続するＲＢ割振りの長さに従って２つの下位領域に分割される。領域Ｃでは、ＵＥが、２６より小さい連続するＲＢを割り振られるときは、Ａ−ＭＰＲのための第１の値が与えられ、２６よりも大きい連続するＲＢ割振りを用いた、広帯域送信の場合は、より高いＡ−ＭＰＲが与えられる。同様に、領域Ｄ中の１４より小さい連続するＲＢ割振りの場合は、ＵＥが第１の値のＡ−ＭＰＲを特定することになり、１４よりも大きい連続するＲＢ割振りを用いた、領域Ｄ中の広帯域送信の場合は、より高いＡ−ＭＰＲが与えられる。
【００３９】
[0047]本開示の様々な態様によるＡ−ＭＰＲテーブル中の異なる領域のブレークポイント（break point）は、含まれるチャネルオフセット値を含めて、チャネル帯域幅と、隣接するチャネルからの距離とに基づいて決定され得る。異なるブレークポイントは、生じ得る異なる干渉源にも基づいて定義され得る。したがって、異なるＡ−ＭＰＲテーブルが、送信および割振りパラメータに応じて異なるブレークポイントを有することになる。
【００４０】
[0048]図４Ａは、本開示の一態様に従って構成されたＡ−ＭＰＲテーブル中の第１の領域のエンドポイントを特定するように選択された狭帯域データ送信のグラフ４０を示す図である。ｘ軸は周波数を表す。送信チャネル４００は、パブリックセーフティ帯域から２ＭＨｚだけオフセットされており、８４９ＭＨｚのチャネルエッジから０．５ＭＨｚのガードバンド（ＧＢ：guard band）を含む。パブリックセーフティ帯域は、８５１ＭＨｚから８５９ＭＨｚの間のスペクトルをカバーする。パブリックセーフティ帯域がスペクトルの上端にあるので、Ａ−ＭＰＲは、２つのパラメータ、すなわち、エンディングＲＢインデックス（ＲＢ＿ｅｎｄ）と連続するＲＢ割振りの長さ（Ｌ＿ＣＲＢ）とで定義される。
【００４１】
[0049]狭帯域データ送信は、送信チャネル４００内のＲＢ＿ｅｎｄ＿Ａにおいて示されている。局部発振器（ＬＯ）信号は、送信チャネル４００の中心周波数において示されている。データ送信の増幅および相互変調における非線形性により、ＩＱイメージ信号が、ＬＯ信号から、ＲＢ＿ｅｎｄ＿Ａにおける狭帯域データ送信と等しい距離に存在する。追加の３次相互変調ＣＩＭ３も８５１ＭＨｚにおいて現れることになる。ＲＢ＿ｅｎｄ＿Ａは、ＣＩＭ３がパブリックセーフティ帯域のエッジにおいて現れるように選択される。狭帯域データ送信がＲＢ＿ｅｎｄ＿Ａを越えて移動しない限り、得られたＣＩＭ３信号は、パブリックセーフティ帯域において干渉を引き起こさないであろう。したがって、ＲＢ＿ｅｎｄ＿Ａは、本開示の一態様に従って生成されたＡ−ＭＰＲテーブル中の領域Ａの境界として特定される。
【００４２】
[0050]ＲＢ＿ｅｎｄ＿Ａは以下の式に従って定義される。
【数１】
2015503889.tif 000003
【００４３】
[0051]上式で、ＮRBはＲＢの数であり、ｆoffsetはチャネルオフセットであり、ＧＢはガードバンドである。
【００４４】
[0052]図４Ｂは、本開示の一態様に従って構成されたＡ−ＭＰＲテーブル中の第２の領域のエンドポイントを特定するように選択された広帯域データ送信４０１のグラフ４１を示す図である。広帯域データ送信４０１は、ＲＢ＿ｅｎｄ＿Ａを越えてＲＢ＿ｅｎｄ＿Ｂまで延びる。広帯域データ送信４０１は、図４Ａに示したのと同じ位置にある送信チャネル４００内に入る。広帯域データ送信４０１がＲＢ＿ｅｎｄ＿Ｂにおいて終了する限り、隣接チャネル漏洩比（ＡＣＬＲ＿１）はパブリックセーフティ帯域内に入らないことになる。しかしながら、万一、広帯域データ送信がＲＢ＿ｅｎｄ＿Ｂを越えて延びる場合、ＡＣＬＲ＿１は、パブリックセーフティ帯域に侵入し、干渉を引き起こすであろう。したがって、ＵＥのためのＲＢ＿ｅｎｄがＲＢ＿ｅｎｄ＿ＡからＲＢ＿ｅｎｄ＿Ｂの間に入る場合、ＵＥは、０または低いＡ−ＭＰＲのいずれかを有し得る。したがって、ＲＢ＿ｅｎｄ＿Ｂは、本開示の一態様に従って生成されたＡ−ＭＰＲテーブル中の領域Ｂの境界として特定される。
【００４５】
[0053]ＲＢ＿ｅｎｄ＿Ｂは以下の式に従って定義される。
【数２】
2015503889.tif 000004
【００４６】
[0054]図４Ｃは、本開示の一態様に従って構成されたＡ−ＭＰＲテーブル中の第２の領域のエンドポイントを特定するように選択された狭帯域データ送信のグラフ４２を示す図である。狭帯域データ送信はＲＢ＿ｅｎｄ＿Ｃにおいて示されている。それはＬＯ信号より上に示されており、ＩＱイメージ信号が、ＬＯ信号の反対側で、狭帯域データ送信と等しい距離にある。３次相互変調信号ＩＭ３は、送信チャネル４００の外部のパブリックセーフティ帯域のエッジにおいて生じる。狭帯域データ送信がＲＢ＿ｅｎｄ＿Ｃを越えて延びない限り、ＩＭ３は、パブリックセーフティ帯域内で干渉を引き起こさないことになる。したがって、ＲＢ＿ｅｎｄ＿Ｃは、本開示の一態様に従って生成されたＡ−ＭＰＲテーブル中の領域Ｃの境界として特定される。
【００４７】
[0055]ＲＢ＿ｅｎｄ＿Ｃは以下の式に従って定義される。
【数３】
2015503889.tif 000005
【００４８】
[0056]図４Ｄは、本開示の一態様に従って構成されたＡ−ＭＰＲテーブル中の第２の領域のエンドポイントを特定するように選択された広帯域データ送信４０２のグラフ４３を示す図である。領域Ｃは、送信チャネル４００内の広帯域データ送信をも含み得る。広帯域データ送信４０２はＲＢ＿ｅｎｄ＿Ｃにおいて終了する。広帯域送信４０２がＲＢ＿ｅｎｄ＿Ｃを越えて延びない限り、ＡＣＬＲ＿１は、パブリックセーフティ帯域への干渉を引き起こさないことになる。広帯域送信の場合、ＲＢ＿ｅｎｄ＿Ｃは以下の式によって定義される。
【数４】
2015503889.tif 000006
【００４９】
[0057]図４Ｅは、本開示の一態様に従って構成されたＡ−ＭＰＲテーブル中の第２の領域のエンドポイントを特定するように選択された広帯域データ送信４０３のグラフ４４を示す図である。ＲＢ＿ｅｎｄ＿Ｃを越えて終了する、広帯域送信４０３などの広帯域送信では、連続するＲＢ割振りの長さ（Ｌ＿ＣＲＢ）が、以下の式によって定義される値を超える場合、ＡＣＬＲ＿１によってパブリックセーフティ帯域内で著しく大きい干渉が引き起こされ得る。
【数５】
2015503889.tif 000007
【００５０】
[0058]図４Ａ〜図４Ｅにおいて領域のエンドポイントＲＢ＿ｅｎｄ＿Ａ、ＲＢ＿ｅｎｄ＿Ｂ、およびＲＢ＿ｅｎｄ＿Ｃを決定する際に、４つの領域、領域Ａ〜Ｄは、本開示の一態様に従って構成されたＡ−ＭＰＲテーブル内で特定される。エンドポイントパラメータが、オフセットとＥ−ＵＴＲＡチャネル帯域幅とに基づいて各構成について計算されると、一般的な表が生成され得る。一般的な表は、以下の表１に示すように見え得る。
【表１】
2015503889.tif 000008
【００５１】
[0059]表１に示されているように、ＲＢ＿ｅｎｄがＲＢ＿ｅｎｄ＿Ｃを越えて領域Ｄ内に入るとき、考えられる２つの異なるＡ−ＭＰＲ値がある。連続するＲＢ割振りの長さが、Ｌ＿ＣＲＢ＿Ｄに満たず、狭帯域ＩＭ３よりも大きいとき、Ａ−ＭＰＲは最高で中程度の値であり得る。そうではなく、連続するＲＢ割振りの長さが、狭帯域ＩＭ３であるかまたはＬ＿ＣＲＢ＿Ｄよりも大きいとき、Ａ−ＭＰＲは最高で著しく大きい値であり得る。
【００５２】
[0060]上記の分析に基づいて、以下の表に、２ＭＨｚオフセットの場合の例示的なＡ−ＭＰＲパラメータを示した。
【表２】
2015503889.tif 000009
【００５３】
[0061]これらの結果は、２ＭＨｚオフセットでは、潜在的に１．４ＭＨｚは著しく大きいＡ−ＭＰＲを必要としないが、他のチャネル帯域幅はより大きいＡ−ＭＰＲを必要とし得ることを示す。
【００５４】
[0062]Ａ−ＭＰＲがＯＯＢＥに強く依存するので、多くの領域は、より高いＯＯＢＥレベルにおいて消え得ることに留意されたい。また、Ａ−ＭＰＲテーブル中の異なる領域のブレークポイントはＯＯＢＥレベルの関数である。
【００５５】
[0063]図５は、本開示の一態様に従って構成されたＡ−ＭＰＲテーブル５０を示す図である。図３Ａ〜図３Ｂからのテーブル３０および３１と同様に、テーブル５０は、エンディングＲＢインデックスと連続するＲＢ割振りの長さとに従って符号化またはインデックス付けされたＡ−ＭＰＲ値を示している。ただし、テーブル５０は、１０ＭＨｚの帯域幅、および２ＭＨｚのオフセット、および−５３ｄＢｍ／６．２５ＫＨｚのＯＯＢＥの場合に決定された、Ａ−ＭＰＲ値を表す。異なるＯＯＢＥ値により、テーブル５０は、異なるＡ−ＭＰＲ値を含むが、簡略化されたグルーピングと定義された領域とを維持する。
【００５６】
[0064]定義されたルックアップ値とともにＡ−ＭＰＲテーブルを与えることに加えて、Ａ−ＭＰＲ選択をさらに最適化するために論理がＵＥに埋め込まれ得る。図６Ａ〜図６Ｂは、本開示の一態様に従って構成されたＡ−ＭＰＲテーブル６０および６１を示す図である。テーブル６０は、１０ＭＨｚ帯域幅、２ＭＨｚオフセット、および−５０ｄＢｍ／６．２５ＫＨｚのＯＯＢＥの場合に生成される。テーブル６０は、１０ＭＨｚ帯域幅、２ＭＨｚオフセット、および−５３ｄＢｍ／６．２５ＫＨｚのＯＯＢＥの場合に生成される。本開示の一態様に従って構成されたＵＥは、Ｌ＿ＣＲＢ＋ＲＢ＿ｅｎｄに等しい最適化値Ｘを計算する。最適化値Ｘは、近似的にＡＣＬＲ＿１において、スペクトル再生（spectrum regrowth）を反映する。最適化値Ｘは、Ａ−ＭＰＲの良好な予測子になる。テーブル６０のＯＯＢＥ  −５０ｄＢｍ／６．２５ＫＨｚの場合、最適化値Ｘが５０より小さい場合は、Ａ−ＭＰＲは０として選択され得る。これに対する例外は、領域Ｄ内に狭帯域送信があるときである。最適化値Ｘが５０よりも大きい場合は、Ａ−ＭＰＲは、狭帯域領域Ｄ送信を除いて、Ｘに対してほぼ直線的に増加することになる。テーブル６１の場合、しきい値は４５になるが、Ａ−ＭＰＲと最適化値Ｘとの間の関係は、テーブル６０の場合と同じままである。
【００５７】
[0065]図７は、本開示の一態様を実装するために実行される例示的なブロックを示す機能ブロック図である。ブロック７００において、モバイルデバイスが、モバイルデバイスに割り振られた複数のＲＢにおけるエンディングＲＢインデックスと連続するＲＢ割振りの長さとを決定する。モバイルデバイスは、次いで、ブロック７０１において、エンディングＲＢインデックスと連続するＲＢ割振りの長さとに基づいて、モバイルデバイスのアップリンク送信のための電力緩和許容量を特定する。
【００５８】
[0066]図８は、本開示の一態様を実装するために実行される例示的なブロックを示す機能ブロック図である。ブロック８００において、モバイルデバイスが、サービスを提供する発展型ノードＢ（ｅＮＢ）から指示を受信し、上記指示が、割り振られた帯域のための高められた放出限界（heightened emission limits）を特定する。モバイルデバイスは、ブロック８０１において、割り振られた複数のリソースブロック（ＲＢ）におけるエンディングＲＢインデックスと連続するＲＢ割振りの長さとを決定する。エンディングＲＢインデックスと連続するＲＢ割振りの長さとに基づいて、ブロック８０２において、電力緩和許容量のテーブル中の電力緩和許容量を特定し、電力緩和許容量が、送信チャネル帯域幅と、隣接する帯域からの距離とに基づいて定義された複数の領域に対応し、特定された電力緩和許容量が、エンディングＲＢインデックスと連続するＲＢ割振りの長さとに関連する複数の領域のうちの１つ中にある。ブロック８０３において、モバイルデバイスは、上記指示に従ってモバイルデバイスにおいて送信電力を調整する。
【００５９】
[0067]ＵＥは、ＵＥのスケジュールされた構成においてＵＥの残りの送信電力をｅＮＢに通知するために電力ヘッドルーム報告（ＰＨＲ：power headroom report）を周期的に与え得る。複数のコンポーネントキャリアで構成されたＵＥでは、電力ヘッドルーム報告は各コンポーネントキャリア（ＣＣ）について定義され得る。電力ヘッドルーム報告は、物理アップリンク制御チャネル（ＰＵＣＣＨ）および物理アップリンク共有チャネル（ＰＵＳＣＨ）のためのコンポーネントキャリア固有の報告を含み得る。
【００６０】
[0068]ｅＮＢは、概して、特定の一定の最大電力低減（ＭＰＲ：maximum power reduction）を仮定する。たとえば、ＵＥにおける特定の最大電力低減に対応する、最小性能要件が指定され得る。キャリアアグリゲーション（ＣＡ）を使用した複数のコンポーネントキャリアで構成されたＵＥでは、実際の電力低減は、割当てに応じて大きく変動することがある。したがって、ＵＥは、実際に、ＭＰＲに関して異なる（電力バックオフ値とも呼ばれる）電力低減値（ＰＲ）を使用し得、そのＰＲ値は、ｅＮＢによって仮定される値よりも小さいことがある。この不一致により、ＵＥにおける送信のために利用可能な電力と、ｅＮＢが利用可能であると考える電力との間に差が生じ得る。
【００６１】
[0069]ｅＮＢは、各コンポーネントキャリアについての電力ヘッドルーム報告および最大電力（Ｐｃｍａｘ，ｃ）に基づいて、そのコンポーネントキャリア上での送信電力を推定することを試み得、ただし、「ｃ」は、そのコンポーネントキャリアのインデックスを表す。そのような推定値は、ｅＮＢによって仮定される電力低減とＵＥによって仮定される電力低減との間に不一致がない場合、正確であり得る。しかしながら、ｅＮＢによって仮定される電力低減値とＵＥによって仮定される電力低減値との間に不一致がある場合、送信電力推定値と利用可能な電力ヘッドルームの推定値との誤差がおそらくあることになる。
【００６２】
[0070]本開示の一態様では、ｅＮＢは、開示するＡ−ＭＰＲテーブルを使用してＡ−ＭＰＲを推定することを試み得る。図９は、本開示の一態様を実装するために実行される例示的なブロックを示す機能ブロック図である。ブロック９００において、ｅＮＢが、モバイルデバイスから電力ヘッドルーム報告を受信する。ｅＮＢは、次いで、ブロック９０１において、モバイルデバイスに現在割り振られている複数のＲＢにおけるエンディングＲＢインデックスと連続するＲＢ割振りの長さとを決定する。エンディングＲＢインデックスと連続するＲＢ割振りの長さとに基づいて、ｅＮＢは、ブロック９０２において、電力緩和許容量のテーブル中の電力緩和許容量を特定する。ｅＮＢは、ブロック９０３において、特定された電力緩和許容量と電力ヘッドルーム報告とに基づいて、モバイルデバイスの利用可能な電力を決定する。ブロック９０４において、ｅＮＢは、決定された利用可能な電力に少なくとも部分的に基づいてアップリンク送信のためにモバイルデバイスをスケジュールする。
【００６３】
[0071]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００６４】
[0072]図７〜図９の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００６５】
[0073]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００６６】
[0074]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６７】
[0075]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００６８】
[0076]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読記憶媒体は、汎用または専用コンピュータによってアクセスされ得る任意の利用可能な媒体であり得る。限定ではなく例として、そのようなコンピュータ可読記憶媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、非一時的接続は、コンピュータ可読媒体の定義内に適切に含まれ得る。たとえば、命令が、同軸ケーブル、光ファイバーケーブル、ツイストペア、またはデジタル加入者線（ＤＳＬ）を使用して、ウェブサイト、サーバ、または他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００６９】
[0077]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2015503889.tif 000010
【図２】
2015503889.tif 000011
【図３Ａ】
2015503889.tif 000012
【図３Ｂ】
2015503889.tif 000013
【図４Ａ】
2015503889.tif 000014
【図４Ｂ】
2015503889.tif 000015
【図４Ｃ】
2015503889.tif 000016
【図４Ｄ】
2015503889.tif 000017
【図４Ｅ】
2015503889.tif 000018
【図５】
2015503889.tif 000019
【図６Ａ】
2015503889.tif 000020
【図６Ｂ】
2015503889.tif 000021
【図７】
2015503889.tif 000022
【図８】
2015503889.tif 000023
【図９】
2015503889.tif 000024
【国際調査報告】
2015503889.tif 000025
2015503889.tif 000026